(57)【要約】      （修正有）【課題】計時する時間を簡易に変更でき、また経時変化により計時する時間がずれてきても簡易に調整できる砂時計を提供する。【解決手段】計時用の砂溜まり部１、２に予備タンクとして第３の砂溜まり部３を直角または傾斜させて連結させ、第３の砂溜まり部３から計時用の砂溜まり部１に砂４を瞬時に出し入れさせることにより、計時用の砂４の量を可変できるようにした。さらに移動する砂４の量は計時用の通過孔のくびれ部５で簡単に測定できるようにしたので、秒単位で計時する時間を簡単に設定できる。【選択図】図１
2020076648.tif 000002
【特許請求の範囲】
【請求項１】
第１の砂溜まり部と、第２の砂溜まり部と、前記第１の砂溜まり部と前記第２の砂溜まり部との間に砂を通過させる第１の通過孔を備えるくびれ部と、前記第１第２の砂溜まり部内に砂と、を設ける砂時計において、前記第１の砂溜まり部に予備タンクとして第３の砂溜まり部を連結させ、前記第１の砂溜まり部と前記第３の砂溜まり部との間に砂を瞬時に通過させる第２の通過孔を設け、前記第１の砂溜まり部と前記第２の砂溜まり部と、を用いて計時する際に、前記第３の砂溜まり部から前記第１の砂溜まり部に砂が流れ落ちないように第２の通過孔を傾斜させて、もしくは直角に前記第３の砂溜まり部を前記第１の砂溜まり部に連結させる、もしくは第２の通過孔を湾曲または折り曲げた形状にすることを特徴とする砂時計。
【請求項２】
前記第３の砂溜まり部を砂時計の形状にすることを特徴とした請求項１記載の砂時計。
【請求項３】
第１の砂溜まり部、第２の砂溜まり部、第３の砂溜まり部内に砂以外の物品、粉体、液体、もしくは密度の異なる複数の液体、を封入したことを特徴とした請求項１、請求項２に記載の砂時計。
【発明の詳細な説明】
【技術分野】
【０００１】
本発明は、計時できる時間を簡易に可変できる砂時計に関する。
【背景技術】
【０００２】
従来では、本体容器の上側にある粒体がくびれ部の連通した穴を通り、下側に落下する、この粒体を所定時間溜めることのできる容積を有する容器、または、所定時間落下した粒体の蓄積した高さが視認できる凸状物を設けることによって、複数の時間が計測できるようにした砂時計が知られている。
【先行技術文献】
【特許文献】
【０００３】
【特許文献１】特開２０１２−８３３２２号  公報
【発明の概要】
【発明が解決しようとする課題】
【０００４】
以上に述べた従来の砂時計では、粉体（砂）を所定時間溜めることのできる容積を有する容器を設けることによって、または所定時間落下した粒体の蓄積した高さが視認できる凸状物を設けることによって、複数の時間が計測できるようにしているが、あくまでも所定時間であり、計時する時間を簡易に変更や調整はできなかった。
【課題を解決するための手段】
【０００５】
通常の砂時計は砂溜まり部を2個持ち、その二つの砂溜まり部の間に砂を通過させる通過孔を備えるくびれ部を設けており、砂時計を静止状態から上下逆転させたとき、砂が上側の砂溜まり部から下側の砂溜まり部に全量落下するまでの時間で所定の経過時間が計測できる。
【０００６】
本発明はどちらか一方の砂溜まり部に予備タンクとして第３の砂溜まり部を連結させ、そこから計時用のどちらか一方の砂溜まり部に瞬時に砂を出し入れさせる第２の通過孔を設けることにより、計時用の砂の量を可変できるようにした。
【０００７】
さらに第２の通過孔を傾斜させて、もしくは直角に、どちらか一方の砂溜まり部に第３の砂溜まり部を連結させる、もしくは第２の通過孔を湾曲または折り曲げた形状にすることにより、計時するときに予備タンクである第３の砂溜まり部から砂が流れ落ちないようにでき、また第１の通過孔であるくびれ部を利用して砂の量を測定できるようにしたことを特徴とする砂時計。
【発明の効果】
【０００８】
本発明の砂時計は、予備タンクである砂溜まり部の砂を瞬時に移動可能にし、またその砂の移動量も測定できるため、計時する時間を簡易に変更も調整もできる。また、第２の通過孔を大きくできるので生産が容易である。
【図面の簡単な説明】
【０００９】
【図１】本発明の実施形態を示す砂時計の構成図（実施例１）
【図２】本発明の実施形態を示す砂時計の概略図（実施例１）
【図３】本発明の実施形態を示す砂時計を上下逆転させた時の概略図（実施例１）
【図４】本発明の実施形態を示す砂時計において計時する時間の設定操作をしている概略図（実施例１）
【図５】本発明の実施形態を示す砂時計において計時する時間の設定操作をしている概略図（実施例１）
【図６】本発明の実施形態を示す砂時計において計時する時間の設定操作をしている概略図（実施例１）
【図７】本発明の実施形態を示す砂時計において計時する時間の設定操作をしている概略図（実施例１）
【図８】本発明の実施形態を示す砂時計において計時する時間の設定操作をしている概略図（実施例１）
【図９】本発明の実施形態を示す砂時計において通過孔を傾斜させた概略図（実施例２）
【図１０】本発明の実施形態を示す砂時計において通過孔を折り曲げた概略図（実施例３）
【図１１】本発明の実施形態を示す砂時計において第３の砂溜まり部を砂時計の形状にした概略図（実施例４）
【図１２】本発明の実施形態を示す砂時計において第３の砂溜まり部を砂時計の形状にした概略図（実施例４）
【図１３】本発明の実施形態を示す砂時計において第３の砂溜まり部を砂時計の形状にした概略図（実施例４）
【発明を実施するための形態】
【００１０】
以下、本発明の実施形態を図面に基づいて説明する。
【実施例１】
【００１１】
図１は本発明の第１の実施例を示した構成図であり、第１の砂溜まり部（１）と、第２の砂溜まり部（２）と、第１の砂溜まり部（１）と第２の砂溜まり部（２）との間に砂（４）を通過させる第１の通過孔を備えるくびれ部（５）と、第１の砂溜まり部（１）に予備タンクとして第３の砂溜まり部（３）を連結させ、第１の砂溜まり部（１）と第３の砂溜まり部（３）との間に砂（４）を瞬時に通過させる第２の通過孔（６）を設け、第１の砂溜まり部（１）と第２の砂溜まり部（２）と、を用いて計時する際に、第３の砂溜まり部（３）から第１の砂溜まり部（１）に砂が流れ落ちないように直角に第３の砂溜まり部（３）を第１の砂溜まり部（１）に連結させる構成となっており、また砂溜まり部（１）（２）（３）の保護と垂直に保持するために台座（７）と支持柱（８）を備えている。
【００１２】
図２〜図８の概略図を参照して本発明の第一の実施形態の動作について説明する。図２は本発明の実施形態を示す砂時計の概略図であり、第１の砂溜まり部（１）から砂（４１）が第２の砂溜まり部（２）に全量落下する時間で計時される。次に、この状態から図３のように上下逆転させることにより、第２の砂溜まり部（２）から砂（４２）が第１の砂溜まり部（１）に全量落下する時間により計時される。この動作を繰り返すことにより何度でも計時ができる。
【００１３】
図４は計時する時間を設定するときの初期状態を示す。第１の砂溜まり部（１）に全ての砂を入れる（４１）。この状態から図５のように逆転させると砂（４１）は第２の砂溜まり部（２）に落下する。計時する時間を３分に設定したいときは、3分間落下させて、素早く図６の状態にし、第１の砂溜まり部（１）にある砂（４１）を全て第３の砂溜まり部（３）に落下させる。この状態が図７である。これにより図３、図２を繰り返すことにより３分の計時が可能な砂時計となる。
【００１４】
次に３分の計時が可能な砂時計を３０秒間計時する時間を増加させて３分３０秒にする方法を説明する。図７の状態から図８の状態にすることにより、第３の砂溜まり部（３）から砂（４３）を第１の砂溜まり部（１）に落下させる。次に図２の状態にして３０秒間、第１の砂溜まり部（１）から砂（４１）を第２の砂溜まり部（２）に落下させる。３０秒間落下させたら素早く図６の状態にして、第１の砂溜まり部（１）にある砂（４１）を全て第３の砂溜まり部（３）に落下させる。この状態が図７である。これにより図３、図２を繰り返すことにより３分３０秒の計時が可能な砂時計となる。
【００１５】
次に３分３０秒の計時が可能な砂時計を１５秒間計時する時間を減少させて３分１５秒にする方法を説明する。図７の状態から図３の状態にして、１５秒間第２の砂溜まり部（２）から砂（４２）を第１の砂溜まり部（１）に落下させる。１５秒間落下させたら素早く図６の状態にして、第１の砂溜まり部（１）にある砂（４１）を全て第３の砂溜まり部（３）に落下させる。この状態が図７である。これにより図３、図２を繰り返すことにより３分１５秒の計時が可能な砂時計となる。
【実施例２】
【００１６】
図９の実施例は、第１の砂溜まり部（１）と第３の砂溜まり部（３）を連結する第２の通過孔を傾斜させたものである。
【実施例３】
【００１７】
図１０の実施例は、第１の砂溜まり部（１）と第３の砂溜まり部（３）を連結する第２の通過孔を折り曲げた形状にしたものである。
【実施例４】
【００１８】
図１１、図１２、図１３の実施例は、第３の砂溜まり部を砂時計の形状にしたものである。
【符号の説明】
【００１９】
１    第１の砂溜まり部
２    第２の砂溜まり部
３    第３の砂溜まり部
４    砂
５    第１の通過孔（くびれ部）
６    第２の通過孔
７    台座
８    支持柱
９    第４の砂溜まり部
１０    第３の通過孔（くびれ部）
４１    第１の砂溜まり部の砂
４２    第２の砂溜まり部の砂
４３    第３の砂溜まり部の砂
【図１】
2020076648.tif 000003
【図２】
2020076648.tif 000004
【図３】
2020076648.tif 000005
【図４】
2020076648.tif 000006
【図５】
2020076648.tif 000007
【図６】
2020076648.tif 000008
【図７】
2020076648.tif 000009
【図８】
2020076648.tif 000010
【図９】
2020076648.tif 000011
【図１０】
2020076648.tif 000012
【図１１】
2020076648.tif 000013
【図１２】
2020076648.tif 000014
【図１３】
2020076648.tif 000015